(57)【要約】【課題】本発明は魚釣用リールに関し、ハンドルの逆転防止装置のＯＮ状態とＯＦＦ状態の切換えを、リール本体を握持している手の指で迅速，容易に行うことのできる魚釣用リールを提供することを目的とする。【解決手段】リール本体に装着したハンドルの逆転防止装置と、当該逆転防止装置を逆転防止状態と逆転可能状態とに切り換える切換え部材を備えた魚釣用リールに於て、上記切換え部材を、リール本体を握持する手の指でリール本体の前後方向または上下方向へ操作可能にリール本体に装着すると共に、当該切換え部材を付勢バネで一方向にバネ付勢して逆転防止装置を当該付勢バネのバネ力で常時逆転防止状態に付勢保持し、バネ力に抗する切換え部材の操作で、逆転防止装置を逆転防止状態から逆転可能状態に切換え可能としたことを特徴とする。【選択図】      図５
2004298060.tif 000002
【特許請求の範囲】
【請求項１】
リール本体に装着したハンドルの逆転防止装置と、当該逆転防止装置を逆転防止状態と逆転可能状態とに切り換える切換え部材を備えた魚釣用リールに於て、
上記切換え部材を、リール本体を握持する手の指でリール本体の前後方向または上下方向へ操作可能にリール本体に装着すると共に、当該切換え部材を付勢バネで一方向にバネ付勢して逆転防止装置を当該付勢バネのバネ力で常時逆転防止状態に付勢保持し、バネ力に抗する切換え部材の操作で、逆転防止装置を逆転防止状態から逆転可能状態に切換え可能としたことを特徴とする魚釣用リール。
【請求項２】
切換え部材は、リール本体を握持する手の親指で押圧操作可能であることを特徴とする請求項１記載の魚釣用リール。
【請求項３】
切換え部材は、リール本体の側板に装着したハンドルの駆動軸に基部が回動可能に装着され、当該基部に駆動軸の径方向外方に突出する操作部が突設されていることを特徴とする請求項１または請求項２記載の魚釣用リール。
【請求項４】
逆転防止装置は転がり式一方向クラッチで構成され、当該転がり式一方向クラッチの転がり部材の楔係合状態を制御する制御部材に、切換え部材が一体的に設けられていることを特徴とする請求項１乃至請求項３のいずれか１項に記載の魚釣用リール。
【発明の詳細な説明】
【０００１】
【発明の属する技術分野】
本発明は、リール本体に装着したハンドルの逆転防止装置を備えた魚釣用リールに関する。
【０００２】
【従来の技術】
釣糸の巻取り操作時に於けるハンドルの逆転防止を図る目的で、従来、魚釣用リールには、駆動軸（ハンドル軸）に装着した爪車に係止爪を係止させて駆動軸の逆転防止を図る逆転防止装置や、転がり式一方向クラッチの楔作用を利用して駆動軸の逆転防止を図る逆転防止装置が組み込まれている。
【０００３】
そして、釣竿のガイド部への糸通しやキャスト前の仕掛け垂らし量の修正作業、或いは仕掛けの巻き込み過ぎを修正（釣竿の曲がりを元の状態に戻す）する場合、クラッチ機構をＯＮ状態（動力伝達状態）にしたまま、逆転防止装置をＯＮ状態（逆転防止状態）からＯＦＦ状態（逆転可能状態）に切り換え、スプールやハンドルを逆回転させて釣糸を所定量繰り出して対応することが多い。
【０００４】
而して、このように逆転防止装置をＯＦＦ状態にして所定の作業を行った後に、逆転防止装置を直ちにＯＮ状態に復帰させることができるように、下記の特許文献１には、リール本体に逆転防止装置の切換え部材を設け、当該切換え部材の押圧操作時にのみ逆転防止装置がＯＮ状態からＯＦＦ状態に切り換わるように構成された魚釣用リールが開示されている。
【０００５】
この従来例は、ハンドル側の側板に押釦をハンドル軸に沿って挿着したもので、押釦はその操作部が側板から外方に突出するようにバネ付勢されて抜止め保持されており、バネ力に抗して押釦を指で押し込むと、逆転防止装置がＯＮ状態からＯＦＦ状態に切り換わり、押釦から指を離すと、バネの復元力で押釦が元の位置に戻されて逆転防止装置がＯＦＦ状態からＯＮ状態に自動復帰するようになっている。
【０００６】
【特許文献１】
特開平１０−１９１８４７号公報（段落番号「００８８」〜「００９５」、図１１）
【０００７】
【発明が解決しようとする課題】
しかし乍ら、上記従来例は、押釦がハンドル側の側板に取り付き、而も、その押圧方向がリール本体を握持する手の握持方向と異なるため、押釦をリール本体を握持する手の指で操作することができず、他方の手の指で押釦を押圧操作して逆転防止装置を切り換えることになり、両手が塞がってしまう。
【０００８】
このため、釣竿のガイド部への糸通しやキャスト前の仕掛け垂らし量の修正，仕掛けの巻き込み過ぎの修正作業を、確実に且つ迅速，容易に行うことができない欠点があった。
本発明は斯かる実情に鑑み案出されたもので、上述の如き逆転防止装置のＯＮ状態とＯＦＦ状態の切換えを、リール本体を握持している手の指で迅速，容易に行うことのできる魚釣用リールを提供することを目的とする。
【０００９】
【課題を解決するための手段】
斯かる目的を達成するため、請求項１に係る発明は、リール本体に装着したハンドルの逆転防止装置と、当該逆転防止装置を逆転防止状態と逆転可能状態とに切り換える切換え部材を備えた魚釣用リールに於て、上記切換え部材を、リール本体を握持する手の指でリール本体の前後方向または上下方向へ操作可能にリール本体に装着すると共に、当該切換え部材を付勢バネで一方向にバネ付勢して逆転防止装置を当該付勢バネのバネ力で常時逆転防止状態に付勢保持し、バネ力に抗する切換え部材の操作で、逆転防止装置を逆転防止状態から逆転可能状態に切換え可能としたことを特徴とする。
【００１０】
また、請求項２に係る発明は、請求項１記載の魚釣用リールに於て、切換え部材は、リール本体を握持する手の親指で押圧操作可能であることを特徴とし、請求項３に係る発明は、請求項１または請求項２記載の魚釣用リールに於て、切換え部材は、リール本体の側板に装着したハンドルのハンドル軸に基部が回動可能に装着され、当該基部にハンドル軸の径方向外方に突出する操作部が突設されていることを特徴とする。
【００１１】
そして、請求項４に係る発明は、請求項１乃至請求項３のいずれか１項に記載の魚釣用リールに於て、逆転防止装置は転がり式一方向クラッチで構成され、当該転がり式一方向クラッチの転がり部材の楔係合状態を制御する制御部材に、切換え部材が一体的に設けられていることを特徴としている。
【００１２】
（作用）
各請求項に係る発明によれば、リール本体を握持する手の指で切換え部材を付勢バネのバネ力に抗してリール本体の前後方向または上下方向へ操作すれば、逆転防止装置が逆転防止状態から逆転可能状態に切り換わり、切換え部材から指を離せば、付勢バネの復元力で逆転防止装置が逆転可能状態から逆転防止状態に瞬時に復帰する。
【００１３】
そして、請求項２に係る発明によれば、リール本体を握持する手の親指で切換え部材を押圧操作すれば、逆転防止装置が逆転防止状態から逆転可能状態に切り換わることとなる。
また、請求項４に係る発明によれば、転がり式一方向クラッチを用いたことで、切換え部材から指を離なせば逆転防止装置が直ぐに逆転遊度の少ない逆転防止状態に復帰する。
【００１４】
【発明の実施の形態】
以下、本発明の実施形態を図面に基づいて詳細に説明する。
図１乃至図６は請求項１乃至請求項４に係る魚釣用リールの一実施形態を示し、図１に於て、１，３はフレーム５の左右に取り付く側板で、両側板１，３とフレーム５とによってリール本体７が構成され、両側板１，３間にスプール軸９を介してスプール１１が回転可能に支持されている。
【００１５】
そして、側板３側に突出するスプール軸９には、当該スプール軸９に設けたクラッチ部に係脱可能なピニオン１３が回転可能且つその軸方向へスライド可能に取り付けられており、従来と同様、スプール１１後方の側板１，３間に装着したクラッチレバー１５の操作でこれらのクラッチ係合を係脱させると、スプール１１がスプールフリー状態（クラッチＯＦＦ）と釣糸巻取り状態（クラッチＯＮ）とに切り換わるようになっている。
【００１６】
また、図１に於て、１７はハンドル、１９は当該ハンドル１７が連結された駆動軸（ハンドル軸）で、駆動軸１９の挿入先端部は軸受部材２１を介してフレーム５に回転可能に取り付けられている。そして、その挿入先端側にクラッチ復帰ギヤ２３が取り付けられており、ハンドル１７の操作によっても、スプール１１がスプールフリー状態から釣糸巻取り状態に切り換わるように構成されている。
【００１７】
更にまた、駆動軸１９には、ピニオン１３に噛合するドライブギヤ２５が回転可能に取り付けられている。そして、ドライブギヤ２５と駆動軸１９は、従来周知のドラグ装置で摩擦結合されており、ハンドル１７の回転力が、当該ドラグ装置を介してドライブギヤ２５，ピニオン１３からスプール軸９に伝達されてスプール１１が回転し、クラッチレバー１５によるクラッチＯＦＦの操作で、スプール軸９へのハンドル１７の回転力が遮断されるようになっている。
【００１８】
そして、ドラグ装置のドラグ力の調節は、駆動軸１９に装着したスタードラグ２７で行うようになっている。
而して、本実施形態に係る魚釣用リール２９も、釣糸繰出し時に於けるハンドル１７（駆動軸１９）の逆転防止を図る逆転防止装置３１が側板３内に装着されている。
【００１９】
図２は逆転防止装置３１の要部拡大断面図、図３は図２のＩＩ−ＩＩ線断面図を示し、図中、３３は駆動軸１９と軸芯を同じくしてハンドル１７方向へ突出する筒状の支持部で、当該支持部３３は側板３に一体成形され、その内部に逆転防止装置３１を構成する転がり式一方向クラッチ（以下、「一方向クラッチ」という）３５が収納されている。
【００２０】
図２及び図３に示すように一方向クラッチ３５は、支持部３３の内周に交互に形成された複数の係合凸部３７と係合凹部３９とに係合して当該支持部３３内に相対回転不能に装着された外輪４１と、断面非円形状の駆動軸１９に回止め嵌合された内輪４３と、周方向へ複数個のコロ（転がり部材）４５を等間隔に保持する保持器４７と、各コロ４５を後述する楔領域に付勢する複数のリーフスプリング４８とで構成されている。
【００２１】
そして、内輪４３の外周が円形周面とされているのに対し、外輪４１の内周には、非楔領域４９としての深溝と楔領域５１としての浅溝とが周方向へ連続して形成された凹部５３が、前記係合凹部３９に対応して設けられており、後述するように楔領域５１と内輪４３との間にコロ４５が食い込むと、一方向クラッチ３５は内輪４３（駆動軸１９）の逆転を阻止する逆転防止状態となり、また、非楔領域４９にコロ４５が移動すると、内輪４３が正逆両方向に回転可能となる逆転可能状態に切り換わるようになっている。
【００２２】
而して、前記保持器４７は円盤状の本体部５５と、当該本体部５５から軸方向前方へ等間隔に突設された複数の突出部５７とで構成されており、その中央に設けられた挿通孔５９に内輪４３が挿通している。そして、各突出部５７間に形成された収容部６１に、夫々、コロ４５が保持器４７の周方向へ若干の移動スペースを開けて収容されると共に、当該コロ４５を常時楔領域５１方向（図３中、矢印Ａ方向）へ付勢するリーフスプリング４８が各収納部６１に装着されている。
【００２３】
そして、図２に示すように保持器４７の一側（スプール１１側）に設けた係合部６３に、円盤状に成形された作動プレート（制御部材）６５が駆動軸１９を中心に一体的に係合し、また、図２及び図３に示すように当該作動プレート６５には、支持部３３に設けた切欠き６７を挿通してその径方向外方に突出する突片６９が形成されており、当該突片６９に切換え部材７１の基部７３が連結されている。
【００２４】
図２乃至図６に示すように切換え部材７１は、駆動軸１９を回動中心として支持部３３の外周に回動操作可能に取り付く平面視円形形状の基部７３と、当該基部７３から魚釣用リール２９の上方へ突出するレバー形状の操作部７５とで構成されており、図５及び図６に示すように操作部７５は、釣人が魚釣用リール２９を握持した反ハンドル側の手Ｈの親指Ｓによって魚釣用リール２９の前方向（図５中、矢印Ｂ方向）へ操作可能に配置されている。そして、図３に示すように基部７３に設けた連結用凹部７７内のピン７９に前記突片６９が連結されている。
【００２５】
また、図２及び図３に示すように基部７３のスプール側側部８１は平面視Ｃ字状に成形されている。そして、当該スプール側側部８１は、支持部３３側に設けられた平面視Ｃ字状の案内溝８３に抜止め保持されて基部７３の脱落防止が図られると共に、案内溝８３の隔壁８５にスプール側側部８１の一端部８７が当接して、付勢バネ８９による切換え部材７１の矢印Ｃ方向への回転が規制されている。
【００２６】
上記付勢バネ８９は、隔壁８５とスプール側側部８１の他端部９１との間の案内溝８３に収納されており、当該付勢バネ８９のバネ力が基部７１，突片６９，作動プレート６５から保持器４７に伝達されて、当該保持器４７が矢印Ｃ方向へ付勢され回転する。
このため、リーフスプリング４８のバネ力で楔領域５１と内輪４３との間にコロ４５が食い込んで、一方向クラッチ３５は逆転防止状態となる。
【００２７】
そして、図５の二点鎖線で示すように釣人が魚釣用リール２９を握持した反ハンドル側の手Ｈの親指Ｓで操作部７５を矢印Ｂ方向（魚釣用リール２９の前方向）へ操作すると、その操作力が基部７１，突片６９，作動プレート６５から保持器４７に伝達されて、図４に示すように保持器４７が付勢バネ８９のバネ力に抗して同方向に回転するため、保持器４７の突出部５７がコロ４５を楔領域５１から非楔領域４９へ移動させて一方向クラッチ３５が逆転可能状態に切り換わるようになっている。
【００２８】
従って、操作部７５を矢印Ｂ方向へ操作する際に、親指Ｓには付勢バネ８９の付勢力が作用し、このため、釣人は操作部７５を矢印Ｂ方向へ押圧操作することとなる。
【００２９】
そして、操作部７５から親指Ｓを離すと、付勢バネ８９の復元力で切換え部材７１が図５の二点鎖線で示す位置から実線で示す位置に戻り、これと同時に保持器４７が図４の状態から図３の状態に戻って一方向クラッチ３５が瞬時に逆転防止状態に復帰するようになっている。
その他、図２に於て、９３は一方向クラッチ３５の脱落防止用のワッシャ、そして、図６中、９５は魚釣用リール２９を装着した釣竿、Ｆは魚釣用リール２９を握持する手Ｈの人差し指を示す。
【００３０】
本実施形態はこのように構成されているから、切換え部材７１が図５の実線で示す非作動状態にあるとき、付勢バネ８９のバネ力で楔領域５１と内輪４３との間にコロ４５が食い込んで、一方向クラッチ３５は常時逆転防止状態にある。
従って、この状態で釣りをすれば、逆転防止装置３１（一方向クラッチ３５）によって釣糸の巻取り操作時に於けるハンドル１７の逆転防止が図られる。
【００３１】
そして、釣竿のガイド部への糸通しやキャスト前の仕掛け垂らし量の修正作業、或いは仕掛けの巻き込み過ぎを修正する場合、スプール１１を釣糸巻取り状態（クラッチＯＮ）にしたまま、図５に示すように魚釣用リール２９を握持した反ハンドル側の手Ｈの親指Ｓで切換え部材７１の操作部７５を矢印Ｂ方向（魚釣用リール２９の前方向）へ押圧操作すると、その操作力が基部７１，突片６９，作動プレート６５から保持器４７に伝達されて、図４の如く保持器４７が付勢バネ８９のバネ力に抗して同方向に回転し、保持器４７の突出部５７がコロ４５を楔領域５１から非楔領域４９へ移動させて一方向クラッチ３５が逆転可能状態に切り換わり、スプール１１やハンドル１７を逆回転させて釣糸を所定量繰り出して対応することができる。
【００３２】
而して、所定の作業を行った後に、操作部７５から親指Ｓを離せば、付勢バネ８９の復元力で切換え部材７１が図５の二点鎖線で示す位置から実線で示す位置に戻り、これと同時に保持器４７が図４の状態から図３の状態に戻って一方向クラッチ３５が瞬時に逆転防止状態に復帰し、逆転防止装置３１によって釣糸の巻取り操作時に於けるハンドル１７の逆転防止が図られることとなる。
【００３３】
このように本実施形態は、バネ力に抗して押圧操作したときのみ逆転防止装置３１を逆転防止状態から逆転可能状態に切り換えることのできる切換え部材７１を、魚釣用リール２９を握持した反ハンドル側の手Ｈの親指Ｓで容易に操作できるように設けたので、釣竿のガイド部への糸通しやキャスト前の仕掛け垂らし量の修正作業、或いは仕掛けの巻き込み過ぎの修正等の作業を行うに当たり、反ハンドル側の手Ｈで魚釣用リール２９の保持及び逆転防止装置３１の切換え操作を行い乍ら、他方の手で仕掛けを持って釣糸を引き出したりハンドル１７を逆回転操作する等の作業を、確実，迅速且つ無理なく行うことが可能となった。
【００３４】
而も、本実施形態は切換え部材７１を駆動軸１９上に設けたため、駆動軸１９上の側板外側部に於けるスペースの有効活用を図って無理なく切換え部材７１を装着することができると共に、転がり式の一方向クラッチ３５を用いたことで、切換え部材７１から親指Ｓを離なせば直ぐに逆転遊度の少ない逆転防止状態に復帰できるため、魚釣用リール２９を握持した状態のままで、次の釣り動作（キャスティング操作，合わせ操作，巻取り操作等）に確実，迅速且つ容易に移行できる利点を有する。
【００３５】
尚、上記実施形態は、図５及び図６に示すように切換え部材７１のレバー形状の操作部７５を魚釣用リール２９の上方へ突出させて、当該操作部７５を、反ハンドル側の手Ｈの親指Ｓで魚釣用リール２９の前方向（図５中、矢印Ｂ方向）へ押圧操作可能としたが、図７及び図８に示す請求項１，請求項３及び請求項４の一実施形態の如く、切換え部材７１のレバー形状の操作部７５を魚釣用リール２９の下方へ突出させて、魚釣用リール２９−１を握持する反ハンドル側の手Ｈの人差し指Ｆで、操作部７５を魚釣用リール２９−１の後方向（図７中、矢印方向）へ押圧操作可能としてもよく、斯かる実施形態によっても、図１の実施形態と同様、所期の目的を達成することが可能である。
【００３６】
また、図示しないが魚釣用リールを握持する反ハンドル側の手の親指や人差し指で、操作部を魚釣用リールの上下方向へ操作可能に切換え部材をリール本体に装着してもよい。
更にまた、上述した各実施形態は本発明を両軸受リールに適用したものであるが、本発明を片軸受リールに適用できることは勿論である。
【００３７】
【発明の効果】
以上述べたように各請求項に係る発明は、付勢バネのバネ力に抗して操作したときのみ逆転防止装置を逆転防止状態から逆転可能状態に切り換えることのできる切換え部材を、魚釣用リールを握持する手の指でその前後方向または上下方向へ容易に操作可能に設けたので、釣竿のガイド部への糸通しやキャスト前の仕掛け垂らし量の修正作業、或いは仕掛けの巻き込み過ぎの修正等の作業を行うに当たり、一方の手で魚釣用リールの保持及び逆転防止装置の切換え操作を行い乍ら、他方の手で仕掛けを持って釣糸を引き出したりハンドルを逆回転操作する等の作業を、確実，迅速且つ無理なく行うことが可能となった。
【００３８】
そして、請求項３によれば、駆動軸上の側板外側部に於けるスペースの有効活用を図って無理なく切換え部材を装着することができ、また、請求項４に係る発明によれば、転がり式の一方向クラッチを用いたことで、切換え部材から指を離なせば直ぐに逆転遊度の少ない逆転防止状態に復帰できるため、魚釣用リールを握持した状態のままで、次の釣り動作（キャスティング操作，合わせ操作，巻取り操作等）に確実，迅速且つ容易に移行できる利点を有する。
【図面の簡単な説明】
【図１】請求項１乃至請求項４の一実施形態に係る魚釣用リールの要部切欠き平面図である。
【図２】図１に示す魚釣用リールの要部拡大断面図である。
【図３】図２のＩＩＩ−ＩＩＩ線断面図である。
【図４】逆転可能状態にある逆転防止装置の断面図である。
【図５】図１に示す魚釣用リールの要部切欠き側面図である。
【図６】図１に示す魚釣用リールの正面図である。
【図７】請求項１，請求項３及び請求項４の一実施形態に係る魚釣用リールの要部切欠き側面図である。
【図８】図７に示す魚釣用リールの正面図である。
【符号の説明】
１，３  側板
７  リール本体
９  スプール軸９
１１  スプール
１５  クラッチレバー
１７  ハンドル
１９  駆動軸
２９，２９−１  魚釣用リール
３１  逆転防止装置
３３  支持部
３５  一方向クラッチ
４１  外輪
４３  内輪
４５  コロ
４７  保持器
４８  リーフスプリング
４９  非楔領域
５１  楔領域
６１  収容部
６５  作動プレート
６９  突片
７１  切換え部材
７３  基部
７５  操作部
８９  付勢バネ
Ｈ  反ハンドル側の手
Ｓ  親指
Ｆ  人差し指
【図１】
2004298060.tif 000003
【図２】
2004298060.tif 000004
【図３】
2004298060.tif 000005
【図４】
2004298060.tif 000006
【図５】
2004298060.tif 000007
【図６】
2004298060.tif 000008
【図７】
2004298060.tif 000009
【図８】
2004298060.tif 000010